(57)【特許請求の範囲】
【請求項１】
それぞれ全面に剥離可能な接着剤が塗布された四紙片が折り部よりジグザグ状に折り畳まれた重ね合わせから構成される葉書であって、折り畳み紙片の中央二紙片が該中央二紙片の内の一紙片の前記剥離可能な接着剤に重ねて塗布された剥離困難な接着剤を介して剥離困難に接着されて葉書本体紙片が形成されてなり、前記葉書本体紙片と一方の折り部を介して連接している紙片は、折り部側から順に表出面側にはがき表示が設けられたはがき表示紙片と宛名表示紙片とで構成され、前記はがき表示紙片は、該はがき表示紙片の前記剥離可能な接着剤に重ねて塗布された剥離困難な接着剤を介して、対面する前記葉書本体紙片と剥離困難に接着されてなり、前記宛名表示紙片と、前記葉書本体紙片の他方の折り部と連接している紙片は、剥離可能に接着されてなることを特徴とする重ね合わせ葉書。
【発明の詳細な説明】
【０００１】
【発明の属する技術分野】
本発明は、葉書本体の表裏面に剥離片を剥離可能に接着すると共に、これらの重ね合わせ面に通知情報を表示して隠蔽状態で通知することができる葉書に関するものである。
【０００２】
【従来の技術】
近年の郵便法の規制緩和傾向下において、封書より低額料金で送れる葉書の概念を打ち破り、従来の葉書より多量の情報を一度に送ることができるように、三つ折り形態の折り重ね合わせ葉書として、一枚の用紙からなる葉書本体紙片および二つの貼着紙片に宛名情報、通知情報を記載し、葉書本体紙片の両面に貼着紙片を剥離可能に接着して被覆化が行われていた。しかし、葉書本体となる紙片には葉書の表示として「郵便はがき」等の表示が必要なために、葉書本体紙片を中央にして左右両側に貼着紙片を連接した一枚の用紙において、宛名情報側の貼着紙片の一端側を短いサイズとして、葉書本体紙片に表示した「郵便はがき」表示が表出するように工夫し、葉書本体紙片が中央に位置するように三つ折り形態に折り重ね合わせ、剥離可能に接着して葉書を形成していた。
【０００３】
【発明が解決しようとする課題】
しかしながら、上述のように郵便法の規格に合致した三つの紙片を折り重ね合わせて、剥離可能に貼着紙片を接着し葉書本体紙片を被覆化した葉書は、通知効果があるため通知業務において数十万通と大量に使われているが、高速プリンタで印字処理する際に、葉書本体紙片の重量を２ｇ以上とするため、限られた重量の用紙（坪量１３１．５ｇ／ｍ２  程度）しか使用することができなく、用紙の厚みによってかさ張ってプリンタに積み重ねセットできる数量も限られてしまい、用紙のセット換えを頻繁に行わなくてはならないため、非常に作業の労力が必要であった。また、葉書本体紙片から二つの貼着紙片を剥がして情報を見る際には、その都度葉書本体紙片をひっくり返さなくてはならないため、大変面倒な手間を要していた。
【０００４】
【課題を解決するための手段】
本発明は、上記の課題を解決するために、それぞれ全面に剥離可能な接着剤が塗布された四紙片が折り部よりジグザグ状に折り畳まれた重ね合わせから構成される葉書であって、折り畳み紙片の中央二紙片が該中央二紙片の内の一紙片の前記剥離可能な接着剤に重ねて塗布された剥離困難な接着剤を介して剥離困難に接着されて葉書本体紙片が形成されてなり、前記葉書本体紙片と一方の折り部を介して連接している紙片は、折り部側から順に表出面側にはがき表示が設けられたはがき表示紙片と宛名表示紙片とで構成され、前記はがき表示紙片は、該はがき表示紙片の前記剥離可能な接着剤に重ねて塗布された剥離困難な接着剤を介して、対面する前記葉書本体紙片と剥離困難に接着されてなり、前記宛名表示紙片と、前記葉書本体紙片の他方の折り部と連接している紙片は、剥離可能に接着されてなることを特徴とする重ね合わせ葉書を提供するものである。
【０００５】
【発明の実施の形態】
次に、本発明を添付図面に基づいて詳細に説明する。ここにおいて図１〜図５は、第１の実施形態を示し、図１は、重ね合わせ葉書の用紙構成の表面側平面図、図２は、図１の重ね合わせ葉書の用紙構成の裏面側平面図、図３は、重ね合わせ葉書の平面斜視図、図４は、図３のＸ−Ｘ線断面図、図５は、作成した重ね合わせ葉書の剥離展開説明図であり、図６、図７は、他の実施形態の重ね合わせ葉書を説明する断面図である。
【０００６】
第１の実施形態の重ね合わせ葉書１を作成する用紙構成は、図１、図２で明らかなように、折りミシン目、筋押し等からなる折り部６ａ、６ｂ、６ｃを介して略葉書大の四紙片が連接して葉書用紙Ｐ１が構成されている。折り部６ａで折り重ね合わされる中央二紙片は、葉書本体紙片３を構成し、折り部６ｂで折り重ね合わされる一紙片は、はがき表示紙片４と宛名表示紙片５とからなり、折り部６ｃで折り重ね合わされる一紙片は、剥離紙片２となるものであり、剥離紙片２および宛名表示紙片５には、剥離開始し易いように側端側にコーナーカットＫが施されている。
【０００７】
また、この四紙片には、あらかじめ全面に剥離可能な接着剤Ａが塗布されており（図４参照）、中央二紙片の内の一紙片の裏面側全面とはがき表示紙片４の表面側には、さらに前記接着剤Ａに重ねて強接着剤Ｂが塗布されている。
【０００８】
なお、感圧性の剥離可能な接着剤Ａは、例えば天然ゴム１００重量部に対して、スチレン２〜８重量部とメタクリル酸メチル１０〜１６重量部とをグラフト共重合させて得られた天然ゴムラテックスに、テルペン樹脂系粘着付与剤２〜１０重量部を添加して感圧性のベース接着剤とし、このベース接着剤１００重量部に対して、平均粒径１〜３０μｍの酸化チタン、小麦澱粉、シリカ等の微粒状充填剤を１５０〜２５０重量部を添加してなるものである。また、感圧性の剥離可能な接着剤Ａに代えて、熱の付与により剥離可能に接着する感熱性接着剤を用いてもよい。
【０００９】
強接着剤Ｂは、剥離可能な接着剤Ａの微粒状充填剤の配合を３０〜１００重量部に減少し、接着力を増強してもよく、あるいは剥離可能な接着剤Ａ同じ成分として、接着時の加圧力を増大させ強接着してもよいものである。また、熱の付与により剥離困難に接着する感熱性接着剤を用いてもよいものである。
【００１０】
次に、重ね合わせ葉書１の作成方法について説明する。前記構成の葉書用紙Ｐ１は、連続状態でも単片状態であっても、情報を印字するプリンタの機種によって適宜選択すればよいものである。まず、適宜なプリンタの給紙部に図１の葉書用紙Ｐ１を積み重ねてセットし（図示せず）、裏面側の表示情報部８には、宛先情報１０や見られても差支えのない情報表示情報８ａを印字し、表面側の隠蔽情報部９には、見られてはまずい情報、もしくは見られてもよいが被覆されてしまう情報、即ち隠蔽情報９ａを印字する。（図４、図５参照）なお、はがき表示紙片４の裏面側（折り重ね時に表出面となる）には、折り部６ｂに沿って表示してある「郵便はがき」というはがき表示４ａや、料金表示、「ここから剥がしてください。」等の固定情報は、前もって印刷しておいてもよいし、プリンタで印字してもよいものである。
【００１１】
印字後、連接する四紙片は、適宜な折り機にて（図示せず）はがき表示４ａ面が表出するように折り部６ｂ、６ａ、６ｃでジグザグに折り重ね合わせ、四紙片を重ね合わせた後、接着剤の接着条件である圧力を加圧装置（図示せず）により加え、図３、図４に示す如く重ね合わせ葉書１を作成する。この重ね合わせ葉書１は、葉書本体紙片３を構成する二紙片、およびはがき表示紙片４を強接着剤Ｂにより剥離困難に接着して構成され、その他の宛名表示紙片５と剥離紙片２とが隠蔽情報９ａを隠蔽して剥離可能な接着剤Ａにより剥離可能に接着されている。
【００１２】
重ね合わせ葉書１は、この状態で投函可能であり郵送され、受取った受領人は、図５に示すように、葉書本体紙片３から宛名表示紙片５と剥離紙片２とを剥離開始端であるコーナーカットＫより剥離して、隠蔽情報９ａを見ることができるが、この剥離に際しては、葉書本体紙片３とはがき表示紙片４とが連接している折り部６ｂの側において、はがき表示紙片４が剥離困難に接着されていても冊子状に一体化した状態に剥離されるので、重ね合わせ葉書１そのものをひっくり返さなくても頁を捲る動作で隠蔽情報９ａを見ることができるものである。
【００１３】
続いて、他の実施形態の葉書２１、３１について説明する。第１の実施形態の葉書１との相違は、連接する四紙片からなる用紙の内、葉書本体紙片３を構成する二紙片と、葉書本体紙片３に連接するはがき表示紙片４と宛名表示紙片５からなる紙片、および剥離紙片２の大きさが若干異なる点である。
【００１４】
重ね合わせ葉書２１の場合は、四紙片を折り部６ｂ、６ａ、６ｃでジグザグ状に折り畳んだ際、葉書本体紙片３が葉書本体紙片３に連接するはがき表示紙片４と宛名表示紙片５からなる紙片、および剥離紙片２の大きさよりも凸状に出っ張るように大きくなるように折り部６ｂ、６ｃの位置を折り部６ａより離れるように移動して構成されているので、剥離開始端としてコーナーカットＫを特に設ける必要はない。
【００１５】
重ね合わせ葉書３１の場合は、四紙片を折り部６ｂ、６ａ、６ｃでジグザグ状に折り畳んだ際、葉書本体紙片３が葉書本体紙片３に連接するはがき表示紙片４と宛名表示紙片５からなる紙片、および剥離紙片２の大きさよりも凹状にへこむように小さくなるように、折り部６ｂ、６ｃの位置を折り部６ａ寄りに移動して構成されているので、剥離開始端としてコーナーカットＫを特に設ける必要はない。
【００１６】
なお、本発明は上述した各実施形態に限定されるものではなく、例えば、略葉書大の剥離紙片の剥離をし易くするためには、剥離開始端として側端側に切り欠き部を設けたり、インキを網掛乃至ベタ刷りして接着力を低下させるように構成してもよいものである。
【００１７】
【発明の効果】
以上、説明したところで明らかなように、本発明の葉書は、葉書本体紙片を二紙片の重ね合わせ接着により構成したので、用紙の厚みをおおよそ半分にすることができ、その分プリンタの給紙部にプリントするための葉書用紙を多く積み重ねることができ、給紙部に葉書用紙を補給する作業の回数を減らすことができるため、作業労力を減らすことがでる。また、葉書本体紙片から二つの貼着紙片を剥がして情報を見る際には、葉書本体紙片と他の二紙片が同一の折り方向で連接しているため冊子状に剥離することができ、葉書本体紙片をひっくり返さなくても頁を捲る動作で済むという効果を奏するものである。
【図面の簡単な説明】
【図１】本発明の第１実施形態の葉書用紙構成の表面側平面図。
【図２】図１の葉書用紙構成の裏面側平面図。
【図３】第１実施形態の重ね合わせ葉書の平面斜視図。
【図４】図３のＸ−Ｘ線断面図。
【図５】作成した第１実施形態の重ね合わせ葉書の剥離展開説明図。
【図６】本発明の他の実施形態の重ね合わせ葉書の断面図。
【図７】本発明の他の実施形態の重ね合わせ葉書の断面図。
【符号の説明】
１、  重ね合わせ葉書
２、  剥離紙片
３、  葉書本体紙片
４、  はがき表示紙片
４ａ  はがき表示
５、  宛名表示紙片
６ａ、６ｂ、６ｃ  折り部
８、  表示情報部
８ａ、  表示情報
９、  隠蔽情報部
９ａ、  隠蔽情報
１０、  宛先情報
Ａ  剥離可能な接着剤
Ｂ  強接着剤
Ｋ  コーナーカット
Ｐ１、  葉書用紙
【図１】
0003876066.tif 000002
【図２】
0003876066.tif 000003
【図３】
0003876066.tif 000004
【図４】
0003876066.tif 000005
【図５】
0003876066.tif 000006
【図６】
0003876066.tif 000007
【図７】
0003876066.tif 000008